(57)【要約】【課題】内部における捕集油の残留やこびりつきを抑制してメンテナンス（浄化）の容易化とメンテナンスに要する手間の削減を図ったオイルミスト捕集用フィルタの支持装置を提供することを課題としている。【解決手段】オイルミスト捕集用のフィルタを収容して保持する端面視方形のフィルタ枠１を、上フレーム２、側フレーム３，４、フィルタＦを支える下フレーム５及び樋６を有し、下フレーム５は、フィルタを油受け面５ｂから浮いた位置に支持するフィルタ受け８を有し、樋６は下フレーム５の前縁に添った位置にあり、その樋６と下フレーム５が一体に形成されているものにした。【選択図】図１
2020142163.tif 000002
【特許請求の範囲】
【請求項１】
排気ダクトの途中に組み込むケーシング（２１）又は排気ダクトの端部もしくは集塵機の吸気口に接続するフランジ（２１ａ、１ａ）と、オイルミスト捕集用のフィルタ（Ｆ）を着脱可能に支持する端面視方形のフィルタ枠（１）を組み合わせたフィルタ支持装置であって、
前記フィルタ枠（１）が、上フレーム（２）、側フレーム（３，４）、前記フィルタ（Ｆ）を支える下フレーム（５）及び樋（６）を有し、
前記下フレーム（５）は、前記フィルタ（Ｆ）を油受け面（５ｂ）から浮いた位置に支持するフィルタ受け（８）を油受け面（５ｂ）上に有し、
前記樋（６）は前記下フレーム（５）の前縁に添った位置にあり、その樋（６）と前記下フレーム（５）が一体に形成されているフィルタ支持装置。
【請求項２】
前記下フレーム（５）の油受け面（５ｂ）を前記樋（６）に向かって下り降りる向きに傾斜させ、前記樋（６）も、溝底（６ａ）を、下フレーム（５）の長手方向の一端と他端の高さ位置が異なる向きに傾斜させた請求項１に記載のフィルタ支持装置。
【請求項３】
前記フィルタ受け（８）を、前記下フレーム（５）の長手方向に対して直角向きに延びたものにし、そのフィルタ受け（８）を、前記下フレーム（５）の油受け面（５ｂ）に下フレーム（５）の長手方向に間隔をあけて複数設置した請求項１又は２に記載のフィルタ支持装置。
【請求項４】
前記側フレーム（３，４）の片方が開口（７）を備え、その開口（７）からフィルタ（Ｆ）を出し入れするように構成されており、さらに、前記フィルタ受け（８）上に前記下フレーム（５）の長手方向に延びるフィルタを載せて滑らせる滑走レール（１１）が追設された請求項３に記載のフィルタ支持装置。
【請求項５】
請求項１〜４のいずれかに記載のフィルタ枠（１）が複数個積み重ねられてマルチフィルタ枠（１Ａ）が構成され、上段のフィルタ枠（１）の樋（６）と下段のフィルタ枠（１）の樋（６）の排油口（６ａ、６ｂ）間が取り外しの可能な縦樋（９）でつながれたフィルタ枠。
【発明の詳細な説明】
【技術分野】
【０００１】
この発明は、オイルミスト捕集用のフィルタを着脱可能に支持するフィルタ支持装置、詳しくは、メンテナンス（浄化）の容易化を図ったフィルタ支持装置に関する。
【背景技術】
【０００２】
機械加工を行う工場や調理油を使う食品加工工場、調理油を使う厨房などでは、油煙が発生する。そこで、その油煙をフィルタに通して油煙中の油分（オイルミスト）を捕集・除去することが行われている。
【０００３】
オイルミストの捕集に利用されるフィルタは、使い捨てタイプと、洗浄して使用を繰り返す再使用タイプの２種類がある。
【０００４】
使い捨てタイプ、再使用タイプのどちらのフィルタも、フィルタ枠を有するフィルタ支持装置で着脱自在に支持し、前記フィルタ支持装置を、油煙を取り込む排気ダクトの長手途中や、端部（吸気口又は排気口）、或いは集塵機の吸気口に取り付けて使用されている。
【０００５】
前記フィルタ支持装置の従来例としては、例えば、下記特許文献１，２に示されるものがある。
【０００６】
特許文献１のオイルミスト除去装置に採用されているフィルタ枠（フィルタケージ）は、リヤ格子、トップパネル、左右のサイドパネル、及びダスト受けのある正面視方形の枠体に、フロント格子を昇降自在に嵌めている。
【０００７】
そのフィルタ枠は、前記フロント格子を上昇させることで枠体の内部にフィルタを出し入れすることができるものになっている。
【０００８】
前記ダスト受けは、枠体の下部にあり、このダスト受けによって枠体の内部に挿入したフィルタが支持される。そのような構造であるので、フィルタに捕捉されたオイルミストは、前記ダスト受け上に流れ落ちる。その流れ落ちた捕集油を排出するため、ダスト受けには、捕集油を受け入れる凹部と、その凹部内の油を外部に流出させるオイル抜き孔が設けられている。
【０００９】
特許文献２のオイルミスト除去装置のフィルタ枠（フィルタケージ）は、フロント格子（フロントパネル）が枠体に固定され、リヤ格子（リヤパネル）が昇降自在になっており、リヤ格子を上昇させて枠の内部にフィルタを出し入れするものになっている。この点を除く構成は、特許文献１のオイルミスト除去装置に採用されているフィルタ支持装置と同じである。
【００１０】
なお、特許文献１、２のオイルミスト除去装置は、フィルタ枠のダスト受けから排出された捕集油がフィルタ枠を格納したフィルタケース（これは排気ダクトの一部と考えてよい）に取り込まれる。
【００１１】
また、取り込まれた捕集油は、フィルタケースに設けられている油溜めに集められ、その油溜めから排油パイプを通して外部に排出される。
【先行技術文献】
【特許文献】
【００１２】
【特許文献１】特開２００７−２１４０５号公報
【特許文献２】特開２００３−２２５５２４号公報
【発明の概要】
【発明が解決しようとする課題】
【００１３】
前掲の特許文献１，２などに示されるように、オイルミスト捕集用のフィルタは、排気ダクトの長手途中や端部（吸気口又は排気口）、或いは集塵機の吸気口に設置されるフィルタ支持装置のフィルタ枠（フィルタケージ）に着脱可能に収容されており、汚れが進行したら、新しいフィルタと交換するか、又は、一旦取り外して洗浄後に元に戻す方法が採られている。
【００１４】
ところが、オイルミストの除去では、フィルタによる捕集油が、フィルタを伝ってフィルタ枠のフィルタ支持面上に流れ、フィルタ枠内で固化してフィルタ枠の内面にも付着する（こびりつく）。
【００１５】
特許文献１，２のオイルミスト除去装置は、フィルタ枠（フィルタケージ）も取り外せるようになっているので、ダスト受け上にこびりついた油を洗浄して除去することができる。
【００１６】
しかしながら、フィルタ枠は、排気ダクト内に取り外し不可に固定されるものもあり、このようなフィルタ枠を備えたフィルタ支持装置の場合、フィルタ枠の内部にこびりついた油を除去するのは決して容易でない。
【００１７】
なお、排気ダクトから取り外せるフィルタ枠も、内部の構造によっては、こびりついた油の洗浄除去がし辛くなること考えられる。
【００１８】
この発明は、内部における捕集油の残留やこびりつきを抑制してメンテナンス（浄化）の容易化とメンテナンスに要する手間の削減を図ったオイルミスト捕集用フィルタの支持装置を提供することを課題としている。
【課題を解決するための手段】
【００１９】
上記の課題を解決するため、この発明においては、排気ダクトの途中に組み込むケーシング又は排気ダクトの端部もしくは集塵機の吸気口に接続するフランジと、オイルミスト捕集用のフィルタを着脱可能に支持する端面視方形のフィルタ枠を、前記ケーシングの内部に前記フィルタ枠を格納して、又は前記フィルタ枠に前記フランジを一体化して組み合わせたフィルタ支持装置であって、
前記フィルタ枠が、上フレーム、側フレーム、前記フィルタを支える下フレーム及び樋を有し、
前記下フレームは、前記フィルタを油受け面から浮いた位置に支持するフィルタ受けを油受け面上に有し、
前記樋は前記下フレームの前縁に添った位置にあり、その樋と前記下フレームが一体に形成されているフィルタ支持装置を提供する。
【００２０】
このフィルタ支持装置は、フィルタ枠の前記下フレームの油受け面を前記樋に向かって下り降りる向きに傾斜させ、前記樋も、溝底を、下フレームの長手方向の一端と他端の高さ位置が異なる向きに傾斜させたものが好ましい。
【００２１】
また、前記フィルタ受けを、前記下フレームの長手方向に対して直角向きに延びたものにするのも好ましい。その下フレームの長手方向に対して直角向きに延びたフィルタ受けは、前記下フレームの油受け面に下フレームの長手方向に間隔をあけて複数設置する。
【００２２】
さらに、前記側フレームの片方に開口を備え、その開口からフィルタを出し入れするフィルタ枠で、下フレームの長手方向に対して直角向きに延びた前記フィルタ受けを備えるものについては、前記フィルタ受け上に前記下フレームの長手方向に延びる滑走レールを追設すると好ましい。
【００２３】
このほか、前記フィルタ枠は同じものを複数個積み重ねて使用することができ、そのように構成したフィルタ枠（以下ではこれをマルチフィルタ枠と言う）は、上段のフィルタ枠の樋と下段のフィルタ枠の樋の排油口間を取り外しの可能な縦樋でつなぐと好ましい。
【発明の効果】
【００２４】
この発明のフィルタ支持装置は、フィルタに捕捉されてフィルタ枠の下フレーム上に流れ落ちた捕集油が下フレームからその下フレームと一体の樋に流れ、その樋を伝って樋の排油口に至り、排油口に接続された排油パイプ経由で外部に排出される。
【００２５】
このように、下フレームと一体の樋を設けて捕集した油を自然流出により逐次回収することで、フィルタ枠の内部における捕集油の残留、こびりつきを最小限に抑えることができ、メンテナンス（浄化）の容易化とメンテナンスに要する手間の削減が図れる。
【００２６】
フィルタ枠を複数個積み重ねたマルチフィルタ枠を有するフィルタ支持装置の従来品は、上段のフィルタ枠の下フレームに設けられている排油口から、捕集した油が下段のフィルタ枠内に流れ落ちて下段のフィルタ枠内のフィルタが油まみれになっていた。
【００２７】
しかし、この発明のフィルタ支持装置によれば、上段のフィルタ枠内で捕集された油は、上段のフィルタ枠の下フレームと一体の樋を伝って排出され、下段のフィルタ枠内に流れ落ちることがない。
【００２８】
そのために、上段のフィルタ枠内で捕集された油によって下段のフィルタ枠内のフィルタが汚されることがなくなる。
【００２９】
なお、フィルタ枠の下フレームの油受け面を樋に向かって下り降りる向きに傾斜させ、樋も、長手方向の一端と他端の高さ位置が異なる向きに傾斜させたものは、下フレームから樋への捕集油の流れと、樋に流入した捕集油の排油口への流れが円滑になり、捕捉した油の回収率が高まる。
【００３０】
また、フィルタ受けを、下フレームの長手方向に対して直角向きに延びたものにして下フレームの油受け面に下フレームの長手方向に間隔をあけて複数設置したものは、フィルタに捕捉されて下フレーム上に流れ落ちた油がフィルタ受けに邪魔されずに樋に流れ、捕集油の下フレーム内での滞留防止が確実になされる。
【００３１】
そのフィルタ受けが下フレームの長手方向に間隔をあけて複数あることで、フィルタ受けによるフィルタの支持安定性も高まる。
【００３２】
さらに、前記フィルタ枠に対するフィルタの着脱は、下記１）、２）のどちらかの方式でなされる。
【００３３】
１）フィルタ枠の側フレームの片方に開口を設け、その開口からフィルタをスライドさせて出し入れするスライド式。
２）フィルタ枠の上フレームに下向き開口の溝を設け、その溝にフィルタの上部を差し込んでフィルタをフィルタ枠内に入れ、その後にフィルタを下フレームの油受け面上のフィルタ受けに支持される位置まで下に落としてフィルタ枠内にフィルタをセットするケンドン式。
【００３４】
上記１）のスライド方式のフィルタ枠を有するフィルタ支持装置で、フィルタ枠の下フレーム上にその下フレームの長手方向に対して直角向きに延びたフィルタ受けを備え、そのフィルタ受け上に下フレームの長手方向に延びる滑走レールをさらに備えるものは、滑走レールでフィルタを支えてスライドさせることができるので、フィルタの出し入れがし易い。
【００３５】
マルチフィルタ枠を備えるフィルタ支持装置で、上段のフィルタ枠の樋と下段のフィルタ枠の樋の排油口間を取り外しの可能な縦樋でつないだものは、フィルタ枠の内部を洗浄する際に、邪魔になる縦樋を取外してフィルタ枠の内部の洗浄行うことができる。取り外しの可能な縦樋は、ロッドを曲げ加工して作られたものが好ましいが、鎖樋等の他の形態の樋であっても構わない。
【図面の簡単な説明】
【００３６】
【図１】この発明のフィルタ支持装置の一例を示す斜視図である。
【図２】図１のフィルタ支持装置の図３のＢ−Ｂ線に沿った断面図である。
【図３】図１のフィルタ支持装置の図２のＡ−Ａ線に沿った断面図である。
【図４】マルチフィルタ枠を用いたフィルタ支持装置の図５のＤ−Ｄ線に沿った断面図である。
【図５】図４のフィルタ支持装置の図４のＣ−Ｃ線に沿った断面図である。
【図６】この発明のフィルタ支持装置の他の例を示す斜視図である。
【図７】図６のフィルタ支持装置の縦断面図である。
【図８】この発明のフィルタ支持装置のさらに他の例を示す斜視図である。
【図９】図８のフィルタ支持装置の拡大断面図である。
【図１０】図６のフィルタ支持装置に滑走レールを追設した状態を示す要部の斜視図である。
【図１１】図１０のＥ−Ｅ線に沿った拡大断面図である。
【図１２】マルチフィルタ枠に採用した縦樋の一例を示す斜視図である。
【図１３】図１のフィルタ支持装置の設置形態の一例を示す斜視図である。
【図１４】図１のフィルタ支持装置の設置形態の他の例を示す斜視図である。
【図１５】図１のフィルタ支持装置の設置形態のさらに他の例を示す斜視図である。
【図１６】図６のフィルタ支持装置の設置形態の一例を示す斜視図である。
【図１７】図６のフィルタ支持装置の設置形態の他の例を示す斜視図である。
【図１８】性能比較試験に用いた従来のフィルタ支持装置の図である。
【図１９】図１８のフィルタ支持装置の正面図である。
【発明を実施するための形態】
【００３７】
以下、添付図面の図１〜図１７に基づいて、この発明のフィルタ支持装置の実施の形態を説明する。
【００３８】
図１〜図３に示したフィルタ支持装置２０は、フィルタ枠１をケーシング２１の内部に格納・固定して構成されている。
【００３９】
フィルタ枠１は、上フレーム２、側フレーム３、４、下フレーム５及び樋６を備え、端面視形状が方形をなすものになっている。上フレーム２は、長手方向の一端から他端に至る下向き開口の溝２ａを有する。
【００４０】
側フレーム３は、上フレーム２と下フレーム５を繋ぐ背面板３ｂを有している。例示の側フレーム３は側面板を備えておらず、上フレーム２の溝２ａの他端の開口と樋６の他端の開口、及び下フレーム５の他端がケーシング２１の一方の側面板によって塞がれている。
【００４１】
側フレーム４も、側面板を備えておらず、上フレーム２と下フレーム５を背面板４ｂで繋ぐものになっている。樋６の一端の開口と下フレーム５の一端はケーシング２１の他方の側面板によって塞がれている。
【００４２】
上フレーム２の溝２ａの一端は、ケーシング２１の側面板に閉鎖されておらず、フィルタ枠１の一側部にフィルタＦを出し入れする開口７が形成されている。その開口７は、ケーシング２１の側面板にあけた開口２１ｃの下縁よりも上側にある。
【００４３】
下フレーム５は、オイルミストを捕捉するフィルタＦ（図２、図３参照）を支えるものであって、垂直に立ち上がるフィルタ動き止め用の背面板５ａを後縁に有する。また、フィルタＦを油受け面（上面）５ｂから浮いた位置に支持するフィルタ受け８を油受け面５ｂ上に有する。
【００４４】
例示のフィルタ受け８は、金属板を山形に曲げ加工して作られており、山の稜線が下フレーム５の長手方向に対して直角向きに延びる向きにして下フレーム５の油受け面５ｂ上に固定されている。
【００４５】
図１〜図３の１０は、フィルタＦの下部の樋６側への移動を阻止するストッパである。このストッパ１０は、必要に応じて設けられる。例示のストッパは、Ｌ字状に曲げ加工した金属フレームで構成されているが、その形状や材質は特に問わない。
【００４６】
下フレーム５の長手方向に対して直角向きに延びたフィルタ受け８は、フィルタＦの安定支持のために、下フレーム５の長手方向に間隔をあけて少なくとも２個設けられる。
【００４７】
樋６は、下フレーム５の前縁に添った位置にあり、その樋６と下フレーム５は、図３に示すように、一体に形成されて下フレーム５の油受け面５ｂが樋６の一側縁の内面に連なっている。
【００４８】
下フレーム５の油受け面５ｂは、図３に示すように、樋６に向かって下り降りる向きに傾斜している。また、樋６は、溝底６ａの高さ位置が長手方向の一端側と他端側で異なる向きに傾斜している。
【００４９】
例示の樋６は、図２からわかるように、他端側の位置が高く、一端側の位置が低くなるように傾斜の向きが設定されているが、傾斜の方向は、例示の方向と逆になっていてもよい。
【００５０】
樋６の高さ位置が一番低くなった一端側には、排油口（ドレンポート）６ｂが設けられている。
【００５１】
図１のフィルタ枠１は、フィルタＦをスライドさせて開口７から（横から）出し入れするスライド式である。
【００５２】
図２、図３に示すように、ケーシング２１は接続用のフランジ２１ａを両端に備えており、そのケーシング２１の内部にフィルタ枠１が取り外し不可に固定して格納されている。そのフィルタ枠１内にオイルミスト捕集用のフィルタＦを収容してオイルミスト除去装置を構成する。
【００５３】
フィルタ枠１を格納したケーシング２１には、樋６の排油口６ｂと位置を対応させた排油口２１ｂが設けられている。
【００５４】
フィルタＦは、オイルミスト捕集用のフィルタが含まれたもの（空気中の塵埃を捕捉するフィルタやスペーサ等が組み合わされたもの）や、オイルミスト捕集用のフィルタのみで構成されたものなどが用いられる。
【００５５】
前記ケーシング２１の一側部には、開口２１ｃ（図２参照）と、その開口２１ｃを開閉する扉２１ｄが設けられている。扉２１ｄは、蝶番２１ｅ（図３参照）を用いてケーシング２１に取り付けられている。図３の２１ｆは、扉２１ｄを閉鎖位置に保持する錠である。
【００５６】
図１〜図３のフィルタ支持装置２０は、扉２１ｄを開け、開口２１ｃと開口７からフィルタ枠１の内部に収容されるフィルタＦの出し入れを行う。
【００５７】
この図１〜図３のフィルタ支持装置２０は、図１３〜図１５に示す設置形態にして使用する。
【００５８】
図１３の設置形態は、油煙の含まれた空気を取り込む排気ダクトＤの長手途中に排気ダクトの一部を構成するようにフィルタ支持装置２０を組み込むものである。
【００５９】
また、図１４の設置形態は、油煙の含まれた空気を取り込む排気ダクトＤの端部（吸気口や排気口）にフィルタ支持装置２０を接続するものである。
【００６０】
図１５の設置形態は、油煙の含まれた空気を取り込む集塵機３０の吸気口にフィルタ支持装置２０を接続するものである。
【００６１】
図４及び図５は、マルチフィルタ枠１Ａをケーシング２１に格納したフィルタ支持装置２０Ａを示している。図示のマルチフィルタ枠１Ａは、フィルタ枠１を２つ積み重ねたものになっている。
【００６２】
このように、フィルタ枠１は、複数個（２個に限定されない）を積み重ねて使用することができる。積み重ねた２つのフィルタ枠１は、図１のフィルタ枠１と同じであるので、一部の要素に図１と同一符号を付して再説明を省く。
【００６３】
図４及び図５の符号９は、上段のフィルタ枠１の樋６と下段のフィルタ枠１の樋６の排油口６ｂ、６ｂ間をつなぐ縦樋である。例示の縦樋９は捕集油を上から下に伝い流すロッドで構成されているが、鎖樋などの他の形態の樋であってもよい。要は、上段のフィルタ枠の樋６に流れ込んだ捕集油を伝い流してその捕集油の滴り落ちを防止できるものであればよい。
【００６４】
フィルタ枠１を複数個積み重ねたマルチフィルタ枠１Ａは、上段のフィルタ枠１内で捕集された油が下段のフィルタ枠１の内部に流れ込むと下段のフィルタ枠１内のフィルタＦが油まみれになるが、例示のマルチフィルタ枠１Ａであれば、上段のフィルタ枠１内で捕集された油は、上段のフィルタ枠１の下フレーム５に一体化された樋６を伝って排出されるため、下段のフィルタ枠１に対する上段のフィルタ枠１内で捕集された油の流入は起こらない。
【００６５】
図６、図７は、スライド式のフィルタ枠１にフランジ１ａを設けたフィルタ支持装置２０Ｂを示している。このフィルタ支持装置２０Ｂは、フランジ１ａを利用して排気ダクトの吸・排気口や集塵機の吸気口に直接取り付けるものになっている。
【００６６】
このフィルタ支持装置２０Ｂは、既述のケーシング２１を備えていない。そのため、上フレーム２の溝２ａの他端と樋６の他端の開口を塞ぐ側面板３ａを側フレーム３に、樋６の一端の開口を塞ぐ上縁がフィルタ受け８の上面よりも上に位置した背の低い側面板４ａを側フレーム４にそれぞれ追設した構造にしている。
【００６７】
側面板３ａ、４ａは、フィルタＦの横移動を規制するストッパとしても機能する。側面板４ａの上縁から上フレーム２の溝２ａの溝底までが開口７となっている。スライド式のフィルタ枠においては、その開口７からフィルタＦがフィルタ枠内に出し入れされる。
【００６８】
図８、図９は、ケンドン式のフィルタ枠１を有するフィルタ支持装置である。このフィルタ支持装置２０Ｃのケンドン式のフィルタ枠１は、図１のフィルタ枠に設けた開口７を備えておらず、側フレーム３と対称形状をなす側フレーム４が設けられたものになっている。
【００６９】
また、このフィルタ支持装置２０Ｃのフィルタ枠１には、図１のケーシングに代えて排気ダクトの端部や集塵機の吸気口に支持装置の全体を直接連結するためのフランジ１ａが設けられている。
【００７０】
その他の構成は図１のスライド式のフィルタ支持装置２０と同じであるので、図１と同一要素に同一符号を付して再説明を省く。
【００７１】
図８のフィルタ支持装置２０Ｃが備えるケンドン式のフィルタ枠１は、図９からわかるように、上フレーム２に設けられた下向き開口の溝２ａにフィルタＦの上部をフィルタ枠の前面側から差し込んでそのフィルタＦをフィルタ枠内に入れ、その後にフィルタＦを下フレーム５の油受け面５ｂ上のフィルタ受け８に支持される位置まで下に落としてフィルタ枠内にフィルタＦをセットする。
【００７２】
このケンドン式のフィルタ枠１も、複数を積み重ねてマルチフィルタ枠を構成することができる。
【００７３】
図１０は、図６のフィルタ支持装置２０Ｂのフィルタ受け８上に、下フレーム５の長手方向に延びる滑走レール１１をさらに追設したものである。
【００７４】
その滑走レール１１は、フィルタＦを載せて滑らせるものであって、図１１に示すように、開口７の幅方向中心付近にある。この滑走レール１１が設けられていると、開口７からフィルタＦを出し入れするときにそのフィルタＦを滑走レール１１で受けて滑らせることができ、出し入れの円滑化が図れる。
【００７５】
なお、滑走レール１１は、スライド式のフィルタ枠をケーシングと組み合わせた図１の
フィルタ支持装置２０にも採用することができる。
【００７６】
図１２は、マルチフィルタ枠１Ａの上段及び下段の各フィルタ枠１の樋６に設けられた排油口６ｂ、６ｂ間に設けられた縦樋９の一例を示している。
【００７７】
例示の縦樋９は、Ｕ字状に折り曲げられたロッドで構成されている。上段及び下段の各フィルタ枠１の樋６に設けられた排油口６ｂ、６ｂは、孔の中央部にブリッジ１２が設けられたものになっており、上段のフィルタ枠１の樋６の排油口６ｂに設けられているブリッジ１２に、折り曲げを上にした縦樋９が吊り掛けられて上段及び下段の各フィルタ枠１の樋６に設けられた排油口６ｂ、６ｂがその縦樋９を介してつながれている。
【００７８】
ブリッジ１２に吊り掛けたその縦樋９は、簡単に抜き取ってフィルタ枠１の内部を洗浄するときに作業の妨げになることを回避することができ、フィルタ枠の内部洗浄の容易化が図れる。
【００７９】
縦樋９は、鎖樋や紐状の樋等も利用でき、これらの樋も取り外し可能に吊下げることができる。
【００８０】
スライド式のフィルタ枠１をケーシング２１と組み合わせた図１のフィルタ支持装置２０や図５のフィルタ支持装置２０Ａは、図１３〜図１５の設置形態にして使用する。
【００８１】
排気ダクトの端部や集塵機の吸気口に接続するフィルタ支持装置は、ケーシング２１のフランジ２１ａが１つでよい。
【００８２】
また、スライド式のフィルタ枠１をフランジ１ａと組み合わせた図６、図１０のフィルタ支持装置２０Ｂは、図１６に示すように排気ダクトＤの端部、もしくは、図１７に示すように、集塵機３０の吸気口に接続して使用する。
【００８３】
ケンドン式のフィルタ枠１を備えた図８のフィルタ支持装置２０Ｃも、図１６、図１７のように、排気ダクトの端部や集塵機の吸気口に接続して使用する。
【実施例】
【００８４】
本発明のフィルタ支持装置の捕集油排出性能の確認試験を行った。
試験は、図４、図５に示したマルチフィルタ枠を有する本発明のフィルタ支持装置（装置Ｉ。油受け面５ｂの傾斜角：５°、樋６の溝底６ａの傾斜角：５°）とマルチフィルタ枠を有する従来の出願人の会社が提供しているフィルタ支持装置（装置II）を用いて行った。装置IIは、図１８、図１９に示すように、下フレーム５に油受け面がなく、上段のフィルタＦが捕集した油が下段のフィルタＦを伝ってケーシングの底に流れ落ちる構造になっている。
【００８５】
試験の方法は、フィルタ支持装置Ｉ、IIに、同一仕様のオイルミスト捕捉用のフィルタ（出願人の会社が提供している油の残留し難いステンレス繊維製のデミスタフィルタ）をセットし、それぞれのフィルタ支持装置のフィルタに排気の流入面側より食用油２５０ｇを２分間かけて塗布した。
【００８６】
そして、１５分経過後、１時間経過後、３時間経過後、１７時間経過後、及び２４時間経過後のフィルタ支持装置内の食用油の残留量を調べた。その残留量は、装置から排出された油の量を投入量から差し引く方法で求めた。その結果を表１にまとめる。
【００８７】
【表１】
2020142163.tif 000003
【００８８】
フィルタ支持装置Ｉ、IIに使用したフィルタは同一仕様であるので、そのフィルタに残留している油の量は、フィルタ支持装置Ｉ、IIとも大差はない。
【００８９】
そのため、フィルタ支持装置Ｉ、IIの１５分経過後の在留量の差（１７３−６２＝１１１）は、フィルタ支持装置Ｉ、IIの油排出性能の差によると考えてよい。油排出性能は、より短時間に、より多く排出できる（残留量はより少ない）ものほど優れていると言える。この試験結果から、本発明のフィルタ支持装置は、従来装置に比べて捕集油の排出性能に優れることが証明される。
【符号の説明】
【００９０】
１          フィルタ枠
１Ａ        マルチフィルタ枠
１ａ        フランジ
１ｂ        排油口
１ｃ        底板
２          上フレーム
２ａ        溝
３、４      側フレーム
３ａ、４ａ  側面板
３ｂ、４ｂ  背面板
５          下フレーム
５ａ        背面板
５ｂ        油受け面
６          樋
６ａ        溝底
６ｂ        排油口
７          開口
８          フィルタ受け
９          縦樋
１０        ストッパ
１１        滑走レール
１２        ブリッジ
２０、２０Ａ、２０Ｂ、２０Ｃ  フィルタ支持装置
２１        ケーシング
２１ａ      フランジ
２１ｂ      排油口
２１ｃ      開口
２１ｄ      扉
２１ｅ      蝶番
２１ｆ      錠
３０        集塵機
Ｆ          フィルタ
Ｄ          排気ダクト
【図１】
2020142163.tif 000004
【図２】
2020142163.tif 000005
【図３】
2020142163.tif 000006
【図４】
2020142163.tif 000007
【図５】
2020142163.tif 000008
【図６】
2020142163.tif 000009
【図７】
2020142163.tif 000010
【図８】
2020142163.tif 000011
【図９】
2020142163.tif 000012
【図１０】
2020142163.tif 000013
【図１１】
2020142163.tif 000014
【図１２】
2020142163.tif 000015
【図１３】
2020142163.tif 000016
【図１４】
2020142163.tif 000017
【図１５】
2020142163.tif 000018
【図１６】
2020142163.tif 000019
【図１７】
2020142163.tif 000020
【図１８】
2020142163.tif 000021
【図１９】
2020142163.tif 000022